(57)【要約】      （修正有）【課題】花器の底板部分にオアシス収納部を設けることで手軽にオアシスを使用して植物を生けることができ、且つオアシス収納部に流水孔を設けることで吸水性に優れた植物を長持ちさせることができる花器を提供する。【解決手段】花器本体２の底板３に筒体６によるオアシス収納部５を設け、前記筒体６の側面板の下方には半円形状の流水孔７を設けることで、オアシス収納部５内に収納したオアシス８に常に花器１内の水１０が吸収されるため保水性に優れたオアシス収納部５を設けた花器１の構成とした。さらに、オアシス収納部のない普通の花器に取り付け使用できるものとして、一枚の板状の台座の上部に筒体を設け、前記筒体の下方には流水孔を設けたことを特徴とする取り外し可能なオアシス収納体の構成とした。【選択図】図１
2009101034.tif 000002
【特許請求の範囲】
【請求項１】
花器本体の内部に、複数の流水孔を形成したオアシス収納部を突出するように設けたことを特徴とするオアシス収納部を設けた花器。
【請求項２】
オアシス収納部の形状を四角形又は円形のいずれかとしたことを特徴とする請求項１に記載のオアシス収納部を設けた花器
【請求項３】
台座に、複数の流水孔が形成されているオアシス収納部を設けたことを特徴とするオアシス収納体。
【発明の詳細な説明】
【技術分野】
【０００１】
本発明は、生け花等で花を飾る際に生けた植物を固定しながら水分を供給することができるオアシスを固定するためのオアシス収納部を設けたことを特徴とする花器に関するものである。
【背景技術】
【０００２】
従来、花器に花などの植物を生ける際には剣山を使用して花を固定したり、剣山よりも手軽に使用することができ植物に水分を提供しながらも固定することのできるオアシスを使用することが多いが、オアシスを使用する場合はオアシスが花器内の水の動きで移動してしまうことがないように、オアシスを花器の形状・大きさに合わせて切断し使用することが多い。
【０００３】
しかしながら、水盤状の花器や大きな花器を使って植物を生ける場合に、使用する花器の大きさ全体にオアシスを嵌め込み使用すると、美観を損なうと共に、花器自体の持ち味を損なったり、植物を生けている部分と花器の空間を味わいたい時にオアシスを使用することは適さない。
【０００４】
そこで、技術が必要な剣山を用いずに簡単に花を生けることができるオアシスを使用した水盤状の花器としては、特許文献１に記載の通り、受け皿に支持ピンを設けてオアシスを固定し、前記受け皿を箱状本体の凹部に収容する方法の生け花用簡易水盤が提供されている。
【０００５】
しかしながら、前記生け花用簡易水盤は、厚紙による箱状本体にオアシスを固定した受け皿を収容する簡易的なものであるので、簡単にオアシスを使用して花を生けることは可能だが、美的・芸術的に優れているとは言い難い。
【特許文献１】実開平４−１０７７０号
【発明の開示】
【発明が解決しようとする課題】
【０００６】
そこで、本発明は、美的に優れた花器でありながら、花器の底板部分にオアシス収納部を設けることで、手軽にオアシスを使用して植物を生けることができ、且つオアシス収納部に流水孔を設けることで吸水性に優れているため生けた植物を長持ちさせることができる花器を提供することを目的としたものである。
【課題を解決するための手段】
【０００７】
本発明は、上記の課題を解決するために、花器本体２の底板３に略正方形状の筒体６によるオアシス収納部５を設け、前記筒体６の側面板６ｂ、６ｃ、６ｄ、６ｅの下方には半円形状の流水孔７、７ａ、７ｂ、７ｃを設けることで、オアシス収納部５内に収納したオアシス８に常に花器1内の水１０が吸収されるため保水性に優れたことを特徴とするオアシス収納部を設けた花器の構成とした。
【０００８】
また、前記花器本体の形状は限定することなく、また前記オアシス収納部５の形状も略正方形状の筒体６に限らず、円形状の筒体１６及び前記筒体の下方に数カ所設けられた半円形状の流水孔１７・・・からなるオアシス収納部１５としたり、菱形の筒体及び前記筒体の下方に設けられた流水孔からなるオアシス収納部とするなど、オアシス収納部の形状及び流水孔の数には規制がないことを特徴とするオアシス収納部を設けた花器１１の構成とした。
【０００９】
さらに、一枚の板状の台座２３の上部に筒体２４を設け、前記筒体２４の下方には流水孔２５・・・を設けたことを特徴とする取り外し可能なオアシス収納体２２とし、オアシス収納部のない普通の水盤等の花器に取り付け使用できることを特徴とするオアシス収納体２２の構成とした。
【発明の効果】
【００１０】
本発明は、花器の底板の一部分に設けられたオアシス収納部にオアシスを収納して花等を生けることで水盤等の花器自体の持つ美観・持ち味を損なうことなく、植物を生けることができ、また前記オアシス収納部の下方には流水孔を設けることで、常に花器内の水がオアシス収納部内に流れ込み、オアシスが湿った状態を保つことができるので、生けた植物が長持ちする。
【００１１】
また、オアシス収納部のない通常の花器でも、台座の上部に筒体を形成し、前記筒体の下方に流水孔を設けてなるオアシス収納部により構成される取り外し可能なオアシス収納体を用いることで、本発明であるオアシス収納部を設けた花器と同様に美観等を損なうことなくオアシスを用いて植物を生けることができ、オアシスを常に湿った状態に保つことができるので、生けた植物を長持ちさせることができる。
【発明を実施するための最良の形態】
【００１２】
本発明であるオアシス収納部を設けた花器は、花器本体の形状を浅い水盤状や深さのある花瓶型等大きさやその形状は限定することなく、用途や花を飾る場所等に合わせた形状とし、それに合わせてオアシス収納部の形状を限定せずに四角形状、円形状、三角形状、菱形等、どのような形状としてもよく、前記オアシス収納部の最大の特徴としてはオアシス収納部を構成する筒体の下方に複数の流水孔を設けることにある。それにより、流水孔から筒体内に常に水が流れ込むことで前記オアシス収納部の形状に合わせて切断し筒体上方の開口部から嵌め込んだオアシスが乾いてしまうことなく、湿った状態を保つことができ、生けた植物を長持ちさせることが可能となる。
【実施例１】
【００１３】
図１は本発明であるオアシス収納部を設けた花器の使用状態を示す斜視図である。図１に示すように、本発明であるオアシス収納部を設けた花器１は、花器本体２と底板３に一体となるように設けられたオアシス収納部５とで構成されている。
【００１４】
花器本体２の底板３に設けられたオアシス収納部５にはオアシス収納部５の大きさ・形状に切断したオアシス８を嵌め込み、花９を生けて使用するものであるが、以下に本発明であるオアシス収納部を設けた花器１について図２から図５を用いて詳細に説明する。
【００１５】
図２は本発明であるオアシス収納部を設けた花器の正面図、図３は本発明であるオアシス収納部を設けた花器の平面図、図４は本発明であるオアシス収納部を設けた花器の斜視図及びオアシス収納部の拡大図、図５は図４中に示したＡ−Ａ線に沿った断面図である。
【００１６】
図２から図５に示すように、本発明であるオアシス収納部を設けた花器１は、花器本体２とオアシス収納部５から構成されている。図示した花器本体２は浅い円形の水盤状であるが、後述するように、花器本体２の形状は水盤状のものに限定するものではない。
【００１７】
図２の正面図に示すように、オアシス収納部５の高さは花器本体２よりも低いものである。そのため、正面からは花器本体２の側面部に隠れてオアシス収納部は見えない。それにより、花器本体２の美観を損なうことはない。
【００１８】
図３の平面図及び図４の斜視図に示すように、本発明であるオアシス収納部を設けた花器１は、花器本体２のほぼ中央の位置にオアシス収納部５が設けられている。図示したオアシス収納部５は略正方形状の筒体６によるものであるが、後述するようにオアシス収納部５の形状は略正方形状に限定するものではない。
【００１９】
ここで、花器本体２は一般的な花器同様、陶器であり、オアシス収納部５も陶器を成形する際に同時に成形し、焼成されたものである。よって、オアシス収納部５は、花器本体２の底板３に一体となって形成されているので、取り外すことはできない。また花器本体２及びオアシス収納部５は陶器ではなくプラスチック製としても良い。プラスチック製とした場合も同様に、オアシス収納部５は、花器本体２を成形する際に底板と一体となって形成されているので、取り外すことはできない。
【００２０】
前記オアシス収納部５は、略正方形状の筒体６が花器本体２の底板３から上方に突出するように設けられている。図４の斜視図及びオアシス収納部５の拡大図、図５のＡ−Ａ断面図から分かるように、オアシス収納部５は筒体６を構成する側面板６ｂ、６ｃ、６ｄ、６ｅの下方にそれぞれ半円形状の流水孔７、７ａ、７ｂ、７ｃが穿設されている。
【００２１】
オアシス収納部５を構成する筒体６の上方は開口部６ａとなっており、本発明であるオアシス収納部を設けた花器を使用する際には、前記開口部６ａからオアシス収納部５内にオアシスを嵌め込み、オアシスに花の茎等を挿して花を生けて使用する。
【００２２】
そして、筒体６を構成する側面板６ｂ、６ｃ、６ｄ、６ｅの下方に設けた流水孔７、７ａ、７ｂ、７ｃからオアシス収納部５内に水が流れ込み、オアシスが常に湿った状態に保たれるため、オアシスが乾いてしまうことがなく、生けた花への水分補給が十分にできるので花を長持ちさせることができる。
【実施例２】
【００２３】
図６は本発明であるオアシス収納部を設けた花器の第２実施例の斜視図である。図１から図５までに図示した本発明であるオアシス収納部を設けた花器１は、浅い水盤状の花器本体２及び略正方形状の筒体６からなるオアシス収納部５で構成されているが、本発明を構成するオアシス収納部の形状は略正方形状に限定されるものではない。
【００２４】
即ち、図６に示したように本発明であるオアシス収納部を設けた花器１１は、浅い水盤状の花器本体１２及び円形状のオアシス収納部１５で構成されるものとしても良い。第１実施例で説明したものと同様、花器本体１２の底板１３のほぼ中心の位置に円形状の筒体１６が上方に突出するように設けられており、筒体１６の下方には流水孔１７、１７ａが穿設されている。前記流水孔１７、１７ａは、２箇所から４箇所程度を任意で設ければよい。
【００２５】
本発明であるオアシス収納部を設けた花器１１を構成するオアシス収納部１５の形状を円形状としてもオアシスを固定し、流水孔１７、１７ａから水が流れ込むことでオアシスを常に湿った状態に保てるという効果は変わらず、花器本体１１の形状や生ける花等の用途に合わせて、オアシス収納部の形状は略正方形状としたり、円形状としたり、或いは菱形や三角形にする等、任意の形状に成形しても構わない。
【実施例３】
【００２６】
図７は本発明であるオアシス収納部を設けた花器の第３実施例の斜視図である。図１から図６までに図示した本発明であるオアシス収納部を設けた花器１、１１は、浅い水盤状の花器本体２、１２及びオアシス収納部５、１５で構成されているが、本発明を構成する花器本体は浅い水盤状のものに限定されるものではない。
【００２７】
即ち、図７に示したように、本発明であるオアシス収納部を設けた花器１８は、花器本体１８ａの形状を深い円筒形状の花瓶としてもよい。そして前記花瓶型の花器本体１８ａの底板１８ｃの中心部にはオアシス収納部１９が設けられ、本発明であるオアシス収納部を設けた花器１８を構成している。
【００２８】
また、図示した花瓶型の花器本体１８ａや円形の水盤状に限らず、花器本体の形状はどのような形状でも構わない。さらに、図７に図示したオアシス収納部１９は、円形状としたが先に述べたように円形状に限らず任意の形状としても構わない。従って、生ける花や飾る場所等、様々な用途に合うように花器本体及びオアシス収納部の形状を変えることでバリエーションを豊富にすることが可能である。
【実施例４】
【００２９】
図８及び図９は本発明の第４実施例である取り外し可能なオアシス収納体を示す図面である。図８はオアシス収納体の斜視図、図９はオアシス収納体の使用方法を示した図である。
【００３０】
これまでに説明した本発明であるオアシス収納部を設けた花器は、花器本体の底板から上方に突出するように略正方形状或いは円形状等の筒体が設けられることで、底板と一体となるようオアシス収納部が設けられている。そのため、オアシス収納部は取り外すことはできない。
【００３１】
しかしながら、本第４実施例のオアシス収納体２２は、台座２３及び台座から上方に突出するように設けられた筒体２４からなるオアシス収納部２２ａから構成されている。従来の花器に取り付けて使用することができる取り外し可能なオアシス収納体２２である。
【００３２】
オアシス収納体２２を構成する台座２３は非常に重いものであり、前記台座２３の中央部から上方に突出するように筒体２４を有するオアシス収納部２２ａが固定又は一体に成形され、前記筒体２４の下方には流水孔２５、２５ａ、２５ｂ、２５ｃが穿設されている。図示した筒体２４は円形状であるが、本第４実施例でも筒体２４の形状は円形状に限定されるものではなく、四角形や三角形等、任意の形状で構わない。
【００３３】
また、オアシス収納体２２の素材は、第１実施例で説明した花器本体２及びオアシス収納部５と同様に陶器に限らずプラスチック製としても良い。プラスチック製とする場合には、台座２３が軽くならないように、板状の台座２３の内部に鉄板等の重しを入れることが必要となる。
【００３４】
図９に示すように、本発明の第４実施例であるオアシス収納体２２を使用する際には、従来の花器２６の任意の位置にオアシス収納体２２を設置する。そして、オアシス収納体２２の上方の開口部２４ａから筒体２４の形状に切断したオアシスを嵌め込み、オアシスに茎等を挿し込むことで花を生ける。
【００３５】
この時、台座２３は、オアシス収納体２２内にオアシスを収納し、花を生けても倒れることがないように、非常に重くなっている。台座２３が軽いと、茎の長い花や大輪で花の部分が重い花などを生けた際にオアシス収納体２２自体が倒れてしまう恐れがある。その点、本発明であるオアシス収納体２２は台座２３が重しとなって、オアシス収納体２２が倒れるのを防ぐことができる。そして、花を生けた後に花器本体２６ａ内に水を注げば、オアシス収納体２２の流水孔２５、２５ａ、２５ｂ、２５ｃから筒体２４内に水が流れ込み、オアシスが常に湿った状態に保たれる。
【００３６】
このように、オアシス収納体２２を使用することで、従来の花器２６もオアシス収納部を設けた花器として使用することができ、また、花を生けたままのオアシス収納体２２を取り外すこともできるので、水を取り替えたり、花器本体２６を洗ったりする際にも生けた花を崩すことなく容易にできる。
【図面の簡単な説明】
【００３７】
【図１】本発明であるオアシス収納部を設けた花器の使用状態を示す斜視図である。
【図２】本発明であるオアシス収納部を設けた花器の正面図である。
【図３】本発明であるオアシス収納部を設けた花器の平面図である。
【図４】本発明であるオアシス収納部を設けた花器の斜視図及びオアシス収納部の拡大図である。
【図５】本発明であるオアシス収納部のＡ−Ａ断面図である。
【図６】本発明であるオアシス収納部を設けた花器の第２実施例の斜視図である。
【図７】本発明であるオアシス収納部を設けた花器の第３実施例の斜視図である。
【図８】本発明の第４実施例であるオアシス収納体の斜視図である。
【図９】本発明の第４実施例であるオアシス収納体の使用方法を示した図である。
【符号の説明】
【００３８】
１            花器
２            花器本体
３            底板
４            開口部
５            オアシス収納部
６            筒体
６ａ          開口部
６ｂ〜６ｅ    側面板
７〜７ｃ      流水孔
８            オアシス
９            花
１０            水
１１            花器
１２            花器本体
１３            底板
１４            開口部
１５            円形オアシス収納部
１６            筒体
１６ａ          開口部
１７、１７ａ    流水孔
１８            花器
１８ａ          花器本体
１８ｂ          開口部
１８ｃ          底板
１９            オアシス収納部
２０            筒体
２０ａ          開口部
２１、２１ａ    流水孔
２２            オアシス収納体
２２ａ          オアシス収納部
２３            台座
２４            筒体
２４ａ          開口部
２５〜２５ｃ    流水孔
２６            花器
２６ａ          花器本体
２６ｂ          開口部
２６ｃ          底板
【図１】
2009101034.tif 000003
【図２】
2009101034.tif 000004
【図３】
2009101034.tif 000005
【図４】
2009101034.tif 000006
【図５】
2009101034.tif 000007
【図６】
2009101034.tif 000008
【図７】
2009101034.tif 000009
【図８】
2009101034.tif 000010
【図９】
2009101034.tif 000011